(57)【要約】【課題】電気機器収納箱への装着が容易で、筐体に複雑な施錠機構を設ける必要のない、施解錠操作が容易な錠装置を提供する。【解決手段】錠装置１は、筐体３２の外側面にねじ止めされる本体２と、これと一体に設けられるシリンダ錠３と、シリンダ錠３のロータ４の回転により本体２に対して一端側が出没するロックピン５とを具備する。ロックピン５は、突出時に扉体３２の挿通孔３８aに挿入される。本体２は、台座部７と、その上に一体に設けられるシリンダケース部８とを具備する。本体２内には、ピン保持空間が設けられる。台座部７は、固定用ねじ６を受け入れるねじ孔７aを底面側に有する。台座部７内には、ロータ４が保持される。ロータ４は、キーの操作によりシリンダケース部８内で、ロック位置と非ロック位置の間を回転自在である。ロックピン５のフォーク部は、ロータ４の後端の偏心突起に係合して駆動される。【選択図】図４
2010255187.tif 000002
【特許請求の範囲】
【請求項１】
前面側に開口を有する筐体と、この筐体に対して開口を開閉可能にいずれか一方の側でヒンジ止めされる扉体とを具備し、扉体は閉鎖状態において自由端側の縁から筐体の外側面に重なるように延出する受け板部を有し、この受け板部が、当該筐体の外側面と平行で筐体の縁に沿う軸線を持つピン挿通孔を有する電気機器収納箱に取り付けられる錠装置であって、
前記筐体の外側面にねじ止めされる本体と、この本体と一体に設けられロータの鍵孔を前方に向けるシリンダ錠と、このシリンダ錠のロータの回転により本体に対して一端側が出没し突出時に前記扉のピン挿通孔に挿入されるロックピンとを具備し、
前記本体は、前記筐体の内側から側板を貫通して螺合される固定用ねじを受け入れるねじ孔を底面側に有する台座部と、この台座部上に一体に設けられ前記ロータをキー操作により回転自在に保持するシリンダケース部と、台座部からシリンダケース部の後部まで内部において連続するピン保持空間とを具備し、
前記ロックピンは、前記ピン保持空間内に設けられ、棒状のピン本体と、このピン本体から前記ロータの後部側へ延出して前記ロータ後端の偏心突起に係合するフォーク部とを具備し、一端側を出没させるように移動可能に保持されることを特徴とする電気機器収納箱用錠装置。
【請求項２】
前面側に開口を有する筐体と、この筐体に対して開口を開閉可能に左右いずれか一方の側でヒンジ止めされ閉鎖状態において筐体の前面側外周部に嵌合する四囲の側板を有する扉体とを具備し、扉体は閉鎖状態において自由端側の側板から水平に延びる受け板部を有し、この受け板部が、筐体の外側面と平行な上下方向の軸線を持つロックピン挿通孔を有する電気機器収納箱に取り付けられる錠装置であって、
筐体の他方の側の外側面にねじ止めされる本体と、この本体と一体に設けられロータの鍵孔を前方に向けるシリンダ錠と、このシリンダ錠のロータの回転により本体に対して一端側が上下方向に出没し突出時に前記扉の挿通孔に挿入されるロックピンとを具備し、
前記本体は、前記筐体の内側から側板を貫通して螺合される固定用ねじを受け入れるねじ孔を底面側に有する台座部と、この台座部上に一体に設けられ前記ロータをキー操作により回転自在に保持するシリンダケース部と、台座部からシリンダケースの後部まで内部において連続するピン保持空間とを具備し、
前記ロックピンは、前記ピン保持空間内に設けられ、棒状のピン本体と、このピン本体の中間部から直角に前記ロータの後部側へ延出して前記ロータ後端の偏心突起に係合するフォーク部とを具備し、ピン本体を筐体の外側面に平行に、かつシリンダ錠の軸線と直交する軸線方向に移動可能に保持され、
シリンダ錠は、前面側が台座部から前方に突出し、この突出部と筐体の側板との間に、閉鎖位置の扉の側板を受け入れる空間を形成することを特徴とする電気機器収納箱用錠装置。
【請求項３】
前記扉の受け板部が、扉の自由端側の縁に設けられる引き手の一部を構成している電気機器収納箱に取り付けられることを特徴とする請求項１又は２に記載の電気機器収納箱用錠装置。
【発明の詳細な説明】
【技術分野】
【０００１】
この発明は、電気機器収納箱を南京錠を用いることなく施錠する錠装置に関する。
【背景技術】
【０００２】
従来、電気機器収納箱を南京錠を用いて施錠する構造として、特許文献1に記載されたものが知られている。この電気機器収納用箱体は、前面を開口した箱体本体と、箱体本体の開口部を施蓋する端縁部近傍を折曲した扉体とを有する。箱体本体の開口部の端縁部近傍には略Ｌ字状の施錠金具が設けられる。施錠金具の一辺には螺孔が設けられ、箱体本体に螺子で螺着され、他辺には略中間部に南京錠の施錠腕部が挿通可能な挿通孔が設けられている。また、扉体の端縁部近傍には南京錠の施錠腕部が挿通可能な挿通孔が設けられる。
【先行技術文献】
【特許文献】
【０００３】
【特許文献１】特開平９−２７８０７９号公報
【発明の概要】
【発明が解決しようとする課題】
【０００４】
上記従来の電気機器収納箱の施錠構造においては、南京錠の掛け止め位置が見えにくい場所であるために、掛け止めに手間が掛かるし、南京錠の向きが不定で、鍵孔が見えないので、施解錠の際のキーの差し込みにも手間取るという問題点がある。
したがって、この出願に係る発明は、電気機器収納箱への装着が容易で、筐体に複雑な施錠機構を設けることなく、施錠可能な電気機器収納箱を構成することができ、しかも施解錠操作が容易な錠装置を提供することを目的としている。
【課題を解決するための手段】
【０００５】
以下、添付図面の符号を参照して説明するが、本発明はこれに限定されるものではない。
上記課題を解決するためのこの出願に係る発明の錠装置１は、筐体３２の外側面にねじ止めされる本体２と、この本体２と一体に設けられるシリンダ錠３と、このシリンダ錠３のロータ４の回転により本体２に対して一端側が出没するロックピン５とを具備する。ロックピン５は、突出時に扉体３２の挿通孔８aに挿入される。本体２は、台座部７と、台座部７上に一体に設けられるシリンダケース部８とを具備する。本体２内には、ピン保持空間９が設けられる。台座部７は、筐体３２の内側から側板３３を貫通して螺合される固定用ねじ６を受け入れるねじ孔７aを底面側に有する。シリンダケース部８内には、ロータ４が保持される。ロータ４は、キー１０の操作によりシリンダケース部８内で、ロック位置と非ロック位置の間を回転自在である。ピン保持空間９は、本体２の内部において台座部７からシリンダケース部８の後部まで連続する。ロックピン５は、ピン保持空間９内に設けられる。フォーク部５ｂは、ロータ４の後端から突出する偏心突起４aに係合する。ピン本体５aは、筐体３２の外側面に平行に、かつシリンダ錠３の軸線と直交する軸線方向に移動可能に保持される。
【発明の効果】
【０００６】
この出願に係る発明の装置によれば、筐体に複雑な施錠機構を設けることなく、施錠可能な電気機器収納箱を構成することができ、しかも施解錠操作が容易な錠装置を提供することができる。
【図面の簡単な説明】
【０００７】
【図１】本発明に係る錠装置を取り付けた電気機器収納箱の正面図である。
【図２】図１の電気機器収納箱の側面図である。
【図３】図１の電気機器収納箱の底面図である。
【図４】図2におけるIV−IV断面図である。
【図５】図１におけるV−V断面図である。
【図６】図１におけるVI−VI断面図である。
【図７】錠装置の背面図である。
【図８】錠装置の斜視図である。
【発明を実施するための形態】
【０００８】
図面を参照してこの発明の実施の形態を説明する。
錠装置1を取り付ける電気機器収納箱３１は、前面側に四囲の側板３３に囲まれた開口を有する筐体３２と、この筐体３２に対して開口を開閉可能に左右いずれか一方の側（図1において右側）でヒンジ止めされる扉体３４とを具備する。
【０００９】
扉体３４は、閉鎖状態において筐体３２の前面側外周部に嵌合する四囲の側板３５を有する。また、扉体３４は、自由端側の側板３５から突出した引き手３６を有する。引き手３６は、自由端側の側板３５から水平に延びる上下一対の板部３７，３８と、これらの水平板部３７，３８間を接続する湾曲板部３９とを有し、これら三者間に、閉鎖状態において後方へ開放した指掛け用の空間４０が形成される。
【００１０】
下方の水平板部３８には、筐体３２の他方の側の外側面と平行な上下方向の軸線を持つロックピン挿通孔３８aが形成される。下方の水平板部３８が、錠装置１のロックピンを係合させる受け板部となる。
【００１１】
錠装置１は、筐体３２の他方の側の外側面にねじ止めされる本体２と、この本体２と一体に設けられるシリンダ錠３と、このシリンダ錠３のロータ４の回転により本体２に対して上下方向に出没するロックピン５とを具備する。ロックピン５は、上端側が突出した時に、扉体３４の受け板部３８の挿通孔３８aに挿入されることにより、扉体３４を閉鎖状態でロックする。シリンダ錠３は、ロータ４の鍵孔を前方に向けて配置される。
【００１２】
錠装置１の本体２は、台座部７と、台座部７上に一体に設けられるシリンダケース部８とを具備し、内部にピン保持空間９を有する。
【００１３】
台座部７は、筐体３２の内側から側板３３を貫通して螺合される固定用ねじ６を受け入れるねじ孔７aを底面側に有する。シリンダケース部８は、ロータ４をキー１０の操作により回転自在に保持する。ピン保持空間９は、台座部７からシリンダケース部８の後部まで連続する。
ロックピン５は、ピン保持空間９内に設けられ、棒状のピン本体５aと、このピン本体５aの中間部から直角にロータ４の後部側へ二股に延出するフォーク部５ｂとを具備する。フォーク部５ｂは、ロータ４の後端から突出する偏心突起４aに係合する。ピン本体５aは、筐体３２の外側面に平行に、かつシリンダ錠３の軸線と直交する軸線方向に移動可能に保持される。
シリンダ錠３は、前面側が台座部７から前方に突出し、この突出部３aと筐体の側板３３との間に、閉鎖位置の扉の側板３５を受け入れる空間Sを形成する。
【００１４】
電気機器収納箱３１は、錠装置１の解錠状態において、引き手３６に指を掛けて扉体３４を開閉操作する。扉体３４を閉鎖位置に置くと、錠装置１のロックピン５と受け板部３８の挿通孔３８aの軸心が一致する。扉体３４の側板３５は、シリンダ錠３と筐体３２の側板３３との間の受け入れ空間S内に進入する。この状態で、シリンダ錠３の前面側は、扉体３４の側板３５の縁よりも前方へ突出しているから、キー１０をロータ４に挿入して行う施解錠操作を容易に行える。キー１０を挿入した施錠操作により、ロータ４を回転させると、偏心突起４aによりロックピン５が上方へ押し上げられて突出し、扉体３４の受け板部３８の挿通孔３８aに挿入される。これで扉体３４が施錠される。錠装置１は、筐体３２に外付けできるから、筐体３２に錠装置を組み込むための複雑な構造は不要である。錠装置１は前面が筐体３２の前方へ向き、しかも可及的に前方に配置されるので、施解錠操作が容易に行える。
【符号の説明】
【００１５】
１    錠装置
２    本体
３    シリンダ錠
４    ロータ
５    ロックピン
６    ねじ
７    台座部
７ａ  ねじ孔
８    シリンダケース部
９    ピン保持空間
１０  キー
３１  電気記収納箱
３２  筐体
３３  側板
３４  扉体
３５  側板
３６  引き手
３７  上板部
３８  下板部
３９  湾曲板部
４０  指掛け空間
Ｓ    受け入れ空間
【図１】
2010255187.tif 000003
【図２】
2010255187.tif 000004
【図３】
2010255187.tif 000005
【図４】
2010255187.tif 000006
【図５】
2010255187.tif 000007
【図６】
2010255187.tif 000008
【図７】
2010255187.tif 000009
【図８】
2010255187.tif 000010